(57)【要約】【課題】本発明では、収容体をカートに取り付けたままであっても、容易に、且つ、コンバクトで見栄えよく折り畳むことができるペット用カートの提供を目的とする。【解決手段】ペットを収容可能な大きさに形成した収容体１３を具備するとともに、本体フレーム１４と上記収容体１３が取り付けられる収容体取付フレーム１５とを組み合わせて折畳み可能に構成したカート本体１２を具備して構成したペット用カート１１であって、上記収容体取付フレーム１５を、折畳み動作に連動して上記本体フレーム１４側へ回動するよう上記本体フレーム１４に対して枢支し、上記収容体１３を厚み方向において収縮自在に形成し、上記収容体１３に、該収容体１３が厚み方向において収縮された状態に保持する保持手段４１，４３ａ，４３ｂ（４２，４３ａ，４３ｂ）を具備したペット用カート１１。【選択図】図１
2007185180.tif 000002
【特許請求の範囲】
【請求項１】
ペットを収容可能な大きさに形成した収容体を具備するとともに、本体フレームと上記収容体が取り付けられる収容体取付フレームとを組み合わせて折畳み可能に構成したカート本体を具備して構成したペット用カートであって、
上記収容体取付フレームを、折畳み動作に連動して上記本体フレーム側へ回動するよう上記本体フレームに対して枢支し、
上記収容体を厚み方向において収縮自在に形成し、
上記収容体に、該収容体が厚み方向において収縮された状態に保持する保持手段を具備した
ペット用カート。
【請求項２】
上記収容体取付フレームに対して上記収容体を取り外し可能に取り付ける取付手段を、上記収容体、又は／及び、上記収容体取付フレームに形成した
請求項１に記載のペット用カート。
【請求項３】
上記取付手段を、上記収容体の上部から上記収容体取付フレームに対して係合可能にフラップ状に突設したフレーム取付フラップと、一対の固定手段とを具備して構成し、
上記一対の固定手段における一方の側を、上記フレーム取付フラップの先端側部位に固着するとともに、
上記一対の固定手段における他方の側を、上記収容体における上記フレーム取付フラップとの重合部位に固着した
請求項２に記載のペット用カート。
【請求項４】
上記保持手段を、上記フレーム取付フラップの裏面側へ折畳み可能に該フレーム取付フラップからフラップ状に突設され、先端側が上記収容体の厚み方向の下側において繋止可能な繋止手段で構成した
請求項３に記載のペット用カート。
【請求項５】
上記収容体取付フレームを、閉環状に形成するとともに、該収容体取付フレームの内周側に上記収容体を嵌め込み可能な大きさを有して上記収容体の外周形状と略同形に形成し、
上記保持手段を、上記収容体の前後各側に形成した
請求項１から請求項４のうちいずれか一項に記載のペット用カート。
【請求項６】
上記収容体における所定部位をネット地で形成し、該ネット地に被覆可能な大きさの被覆カバーを、上記ネット地に対して取り外し可能に上記収容体に取り付けた
請求項１から請求項５のうちいずれか一項に記載のペット用カート。
【請求項７】
上記収容体の下面に、上記収容体を下側から支持可能な支持部材を敷設した
請求項１から請求項６のうちいずれか一項に記載のペット用カート。
【発明の詳細な説明】
【技術分野】
【０００１】
この発明は、ペットを収容体に収容して運ぶことのできるペット用カートに関する。
【背景技術】
【０００２】
人間がペットを同伴させて歩く際に、ペットにリードを付けて一緒に歩かせる以外に、ペットを収容体に収容させた状態で上述したようなペット用カートを、手押しして運ぶことが考えられる。
【０００３】
このようなペット用カートは、便利であるため、様々なものが存在するが例えば、下記特許文献１において「ペット用鞄付きカート」が開示されている。  
特許文献１における「ペット用鞄付きカート」は、上記収容体として用いるペット用鞄がカートに対して着脱可能に構成され、カートが必要に応じて折畳み可能に構成されている。
【０００４】
しかし、上記「ペット用鞄付きカート」は、ペット用鞄をカートから取り外しておかなければ鞄が邪魔になりカート自体を折り畳むことができないという難点を有する。
【０００５】
すなわち、ペット用鞄をカートに取り付けたまま折り畳んだ場合、バッグ自体は、例えば、折り畳まれたカートに対して傾いた状態のまま取り付いた形態になることが想定されるため、コンパクトに折り畳むことができない、或いは、折畳み後の見栄えも悪いという難点を有する。
【０００６】
さらに、上記「ペット用鞄付きカート」は、上述したようにカート自体を折り畳むことしか想定されていないため、事実上、ペット用鞄をカートからいちいち取り外してから折り畳まなければならず、又、使用時には、カートの形態に戻してから改めてペット用鞄をカートに取り付ける手間を要するため、面倒であるという難点も有する。
【０００７】
その他にも、ペット用カートからペットを降ろす際に、必ずしもペットを収容した状態で収容体ごとカートから降ろすとは限らないが、特許文献１における「ペット用鞄付きカート」の場合、折り畳みの際にペットだけでなく、ペット用鞄をカートから降ろさなければ折り畳むことができず、不便であるという難点も有する。
【０００８】
【特許文献１】特開２００４−１６６５９９号公報
【発明の開示】
【発明が解決しようとする課題】
【０００９】
そこで本発明では、収容体をカートに取り付けたままであっても、容易に、且つ、コンバクトで見栄えよく折り畳むことができるペット用カートの提供を目的とする。
【課題を解決するための手段】
【００１０】
本発明のペット用カートは、ペットを収容可能な大きさに形成した収容体を具備するとともに、本体フレームと上記収容体が取り付けられる収容体取付フレームとを組み合わせて折畳み可能に構成したカート本体を具備して構成したペット用カートであって、上記収容体取付フレームを、折畳み動作に連動して上記本体フレーム側へ回動するよう上記本体フレームに対して枢支し、上記収容体を厚み方向において収縮自在に形成し、上記収容体に、該収容体が厚み方向において収縮された状態に保持する保持手段を具備したことを特徴とする。
【００１１】
ペット用カートは、上記収容体取付フレームに対して上記収容体を取り外し可能に取り付ける取付手段を、上記収容体、又は／及び、上記収容体取付フレームに形成したことを特徴とする。
【００１２】
上記取付手段は、好ましくは上記収容体の上部から上記収容体取付フレームに対して係合可能にフラップ状に突設したフレーム取付フラップと、一対の固定手段とを具備して構成し、上記一対の固定手段における一方の側を、上記フレーム取付フラップの先端側部位に固着するとともに、上記一対の固定手段における他方の側を、上記収容体における上記フレーム取付フラップとの重合部位に固着して構成することができる。
【００１３】
さらに、上記取付手段は、上記構成に限定せず、樹脂製や金属製の係合部材（フック）なども含むものとする。
【００１４】
さらにまた、上記固定手段には、面ファスナ、スナップ、フォック、スライドファスナ、或いは、係合部材などを含む。
【００１５】
また、上記保持手段は、上記フレーム取付フラップの裏面側へ折畳み可能に該フレーム取付フラップからフラップ状に突設され、先端側が上記収容体の厚み方向の下側において繋止可能な繋止手段で構成することができる。
【００１６】
上記繋止手段は、例えば、ベルト状の部材、紐状の部材、ゴム紐などの先端に一方の固定手段を取り付けるとともに、収容体の下面側に他方の固定手段を取り付けた構成を挙げることができるが、この構成に限定せず、樹脂製や金属製の係合部材（フック）なども含むものとする。
【００１７】
また、本発明のペット用カートは、上記収容体取付フレームを、閉環状に形成するとともに、該収容体取付フレームの内周側に上記収容体を嵌め込み可能な大きさを有して上記収容体の外周形状と略同形に形成し、上記保持手段を、上記収容体の前後各側に形成することができる。
【００１８】
さらに、本発明のペット用カートは、上記収容体における所定部位をネット地で形成し、該ネット地に被覆可能な大きさの被覆カバーを、上記ネット地に対して取り外し可能に上記収容体に取り付けて構成することが好ましい。
【００１９】
本発明のペット用カートは、上記収容体の下面に、上記収容体を下側から支持可能な支持部材を敷設して構成することもできる。
【発明の効果】
【００２０】
請求項１における発明によれば、本発明のペット用カートは、カート本体を折り畳むとともに、収容体を厚み方向に収縮させ、さらに、保持手段により、収容体を収縮させた状態に保つことができるため、収容体ごとコンパクトに折り畳むことができる。
【００２１】
従って、不使用時において場所を要さずに収納することができ、自動車にも容易に載せて持ち運ぶことができる。
【００２２】
請求項２における発明によれば、収容体をカート本体の収容体取付フレームに取り付けることにより、収容体をカート本体に対して単に載せるだけではなく、しっかりと取り付けた状態で載せることができる。
【００２３】
請求項３における発明によれば、収容体から突き出したフレーム取付フラップが収容体取付フレームに対してしっかりとフィットした係合状態で取り付けることができるため、ペット用カートが走行中にも収容体がカート本体に対してガタつくことがなく、しっかりとした取り付け状態を維持することができる。
【００２４】
さらに、一対の固定手段を離間させ、フレーム取付けフレームを捲り上げるだけで収容体を容易にカート本体から持ち上げて取り外すことができる。
【００２５】
請求項４における発明によれば、上記保持手段を上記繋止手段により形成することにより、繋止手段の先端側を収容体の厚み方向の下側に繋止できるため、収容体を収縮した状態にしっかりと留めておくことができる。
【００２６】
請求項５における発明によれば、収容体取付フレームを上述したように構成することにより、収容体を嵌め込んだとき、収容体取付フレームに対してフレーム取付フラップをしっかりと取り付けることができる。
【００２７】
請求項６における発明によれば、必要に応じて適宜、被覆カバーを取り外せば、ネット地が介装されているため、ペットを収容体に留めた状態でネット地を介して収容体の内部の通気性を確保することができるとともに、ペットの様子も伺うことができる。
【００２８】
請求項７における発明によれば、収容体をカート本体のフレーム上に載置させたとき、収容体の下面全体でペットを支持することができる。
【発明を実施するための最良の形態】
【００２９】
この発明の一実施形態を、以下図面を用いて説明する。  
図１、図２、図３、及び、図４は、それぞれ本実施例のペット用カート１１の外観図、右側面図、フレーム構造の説明図、縦断面を模式的に示した説明図である。
【００３０】
上記図１、図２、図３、及び、図４に示したように、本実施例のペット用カート１１は、カート本体１２に対してペットを収容可能な収容体１３が取り外し可能に取り付けられている。
【００３１】
上記カート本体１２は、前後各側に左右一対の車輪１６ａ，１６ｂを具備しているとともに、後方側の上部に横架させた把持部１７を具備している。上記カート本体１２におけるフレーム構造は、本体フレーム１４と収容体取付フレーム１５から折畳み可能に構成し、収容体取付フレーム１５は、本体フレーム１４に対して枢結されている。  
なお、本体フレーム１４、及び、収容体取付フレーム１５を構成する各フレームは、以下で特に示す場合を除いて略全体をスチールパイプにより構成している。
【００３２】
上記収容体取付フレーム１５は、上記図３に示したように、閉環状に形成され、地面に対して水平姿勢で本体フレーム１４に対して枢支されている。上記収容体取付フレーム１５は、平面視すると上記収容体１３を内側に嵌め込み可能な大きさで、且つ、収容体１３の側面部３３ｃの外周形状と同形状の閉環状に形成している。
【００３３】
具体的に、上記収容体取付フレーム１５は、長方形状をした長手方向の一端側を半円弧状に形成するとともに、長手方向の他端側の両角部にＲを付した閉環状をしている。
【００３４】
また、上記本体フレーム１４は、第一主フレーム２１、及び、第二主フレーム２２を具備している。
【００３５】
第一主フレーム２１、及び、第二主フレーム２２は、カート本体１２が使用時の形態、すなわち、カート型の形態において、それぞれ略起立させた状態で前後各側に配され、さらに、上記ペット用カート１１を側面視すると、上記図２、及び、図４に示したように、第一主フレーム２１が第二主フレーム２２に寄りかかったような形態で配されている。
【００３６】
カート本体１２は、第一主フレーム２１、及び、第二主フレーム２２、並びに、上記車輪１６ａ，１６ｂを、左右対称のもの、或いは、左右各側で同一構造のものを一対づつ具備し、それぞれ幅方向の各側に配設されている。
【００３７】
具体的に、上記第一主フレーム２１の下端側は、前輪１６ａと連結され、その上方側は、上方へ進むに連れ後側へ向けて配している。上記第一主フレーム２１の左右各側の後端側は、倒伏する側に屈曲し、幅間に上記把持部１７が横架されている。上記把持部１７は、後方側から把持して手押しし易いようウレタン部材が囲繞されている。
【００３８】
第二主フレーム２２の下端部は、後輪１６ｂと連結され、その上端部は、上記第一主フレーム２１と平行になるよう屈曲され、上記第一主フレーム２１の上部とジョイント部材２３を介して着脱可能に結合されている。
【００３９】
上記左右一対の第一主フレーム２１の幅間には、第一収容体支持フレーム２４が横架されるとともに、上記左右一対の第二主フレーム２２の幅間には、第二収容体支持フレーム２５が横架されている。
【００４０】
但し、第一収容体支持フレーム２４、及び、第二収容体支持フレーム２５は、ともに上記収容体取付フレーム１５を枢結した高さ位置から収容体１３の略厚み長さ（高さ）分、すなわち、側面部の長さ分だけ下方位置で横架されている。
【００４１】
これにより、収容体１３は、収容体取付フレーム１５に嵌め込まれた状態で第一収容体支持フレーム２４、及び、第二収容体支持フレーム２５に対して載置することができる。
【００４２】
また、上記収容体取付フレーム１５の下側において、上記第一主フレーム２１には、板状のステー２６の長さ方向の一方の端部が枢着されるとともに、上記第二主フレーム２２には、板状のステー２６の長さ方向の他方の端部が枢着されている。
【００４３】
その他にも、上記図１、及び、図３に示したように、カート本体１２には、左右各側の後輪１６ｂの間には、補強フレーム２７が横架され、カート本体１２の下部の強度を確保している。
【００４４】
以上がカート本体１２の構成であり、続いて上記収容体１３の構成について説明する。  
収容体１３は、上記図１、図２、及び、図４に示したように、上記収容体取付フレーム１５に嵌め込まれるよう上面部３３ａ、及び、底面部３３ｂがそれぞれ長方形状の一端側を半円弧状に形成した断面形状で形成されている。さらに、収容体１３は、その側面部３３ｃが寸胴となる外観に形成されるとともに厚み方向（上下方向）に収縮自在に柔軟性を有して形成されている。
【００４５】
なお、本実施例では、本実施例のペット用カート１１がカート型の形態をした場合を基準にして収容体１３を構成する各面部、すなわち、上面を上面部３３ａに、底面を底面部３３ｂに、側周面を側面部３３ｃに設定し、さらに、ペット用カート１１の進行方向を基準として前方側、後方側（背面側）を設定して説明する。  
但し、ペット用カート１１を折畳んだ後についても、便宜上、収容体１３の各面部の名称を変更せずに同様の名称、符号を付して説明するものとする。
【００４６】
上記収容体１３の外周面の略全体は、上記図４に示したように、以下で特に示す場合を除いて外側に撥水コーティング加工が施されたポリエステル生地３４を配するとともに、内側に不織布３５を配した２層構造で形成している。
【００４７】
また、上記収容体１３の上面部３３ａにおける前側端部沿いには、前側フレーム取付フラップ３６が突設され、後側端部沿いには、後側フレーム取付フラップ３７が突設されている。
【００４８】
上記前側フレーム取付フラップ３６は、図５に示したように、上記収容体取付フレーム１５を被覆可能な幅大を有し、外周縁部にバイアステープを施した帯状に形成し、その幅方向の一端を、収容体１３の前側端部に縫着している。  
なお、図５は、収容体の上方前側端部における縦断面を模式的に示した説明図である。
【００４９】
これにより、上記前側フレーム取付フラップ３６は、上記収容体１３の側面部３３ｃに対して重合、或いは、フラップ状に離間可能に形成している。  
具体的に、上記前側フレーム取付フラップ３６の裏面には、一対のスナップ３８ａ，３８ｂにおける一方の側のスナップ３８ａが固着され、上記収容体１３の側面部３３ｃにおける前側フレーム取付フラップ３６と対向する部位には、一対のスナップ３８ａ，３８ｂにおける他方の側のスナップ３８ｂが固着されている。
【００５０】
このような一対のスナップ３８ａ，３８ｂは、上記収容体１３の上記前側端部において、合計４つ形成され、それぞれは、収容体１３の周方向に配設されている。  
但し、これら４つのスナップ３８ａ，３８ｂ，…は、上方の前側端部における、収容体１３の周方向の中央部を除いた左右各側に２つづつ配設している。
【００５１】
さらに、上記前側フレーム取付フラップ３６は、その周方向の中央側部位から帯状の前側繋止フラップ４１が連設されている。
【００５２】
すなわち、上記前側繋止フラップ４１は、図５中の一点鎖線で示したように前側フレーム取付フラップ３６の裏面側から取り出すことができる。このため、上記前側繋止フラップ４１は、図５中の仮想線で示したように、前側フレーム取付フラップ３６に対して垂下した状態にすることができる。或いは、前側フレーム取付フラップ３６の裏面側へ再度、折り返し可能に形成している。
【００５３】
また、上記前側繋止フラップ４１は、その先端が上記前側フレーム取付フラップ３６から垂下させたとき、厚み方向に収縮させた状態の収容体１３の底面部３３ｂに達する長さに形成している。
【００５４】
さらに、図５、及び、図８に示したように、上記前側繋止フラップ４１における、該前側繋止フラップ４１が前側フレーム取付フラップ３６に対して垂下させたとき、収容体１３の底面部３３ｂと対向する部位には、一対の面ファスナ４３ａ，４３ｂにおける一方の面ファスナ４３ａを縫着している。これに対して、収容体１３の底面部３３ｂの前側部位には、図２，図４、及び、図８に示したように、他方の面ファスナ４３ｂを上記一方の面ファスナ４３ａと重合可能に縫着している。
【００５５】
また、上述した前側端部沿いの構成は、図６に示したように、上記収容体１３の上面部３３ａにおける後側端部沿いについても、同様の構成で形成されている。  
なお、図６は、カート本体１２に取り付けられた収容体１３を後方側から視た説明図である。
【００５６】
すなわち、後側端部沿いにおける後側フレーム取付フラップ３７は、上述した上記収容体１３の上面部３３ａにおける前側端部沿いにおける前側フレーム取付フラップ３６に対応し、同様に、後側繋止フラップ４２は、前側繋止フラップ４１に対応するよう形成している。さらに、上記収容体１３の後側端部沿いには、前側端部沿いと同様に一対のスナップ３８ａ，３８ｂ、及び、一対の面ファスナ４３ａ，４３ｂを形成している。これらについては、前側端部沿いと同様の構成であるため、同一の符号を付してその説明を省略する。
【００５７】
また、図７（ａ），（ｂ）に示したように、収容体１３の上面部３３ａは、ペットを収容、或いは、取り出し可能な開口部を有している。上記開口部は、開閉カバー４４により覆われ、該開閉カバー４４は、上面部３３ａにおける後側部位を除いた部位をフラップ状に形成している。
【００５８】
また、上記開閉カバー４４は、被覆カバー４５と通気性カバー４６とを互いに積層させて形成している。  
具体的に、上記通気性カバー４６は、前部を除いた部位をメッシュ地で形成している。これに対して上記被覆カバー４５は、メッシュ地の通気孔を閉塞状態に通気性カバー４６全体を被覆可能に形成している。
【００５９】
さらに、上記通気性カバー４６の上記被覆カバー４５との対向面における前方側部位には、一対の面ファスナ４７ａ，４７ｂにおける一方の側の面ファスナ４７ａが縫着され、上記被覆カバー４５における上記一方の側の面ファスナ４７ａとの重合部位には、一対の面ファスナ４７ａ，４７ｂにおける他方の側の面ファスナ４７ｂが縫着されている。
【００６０】
また、上記通気性カバー４６の開口縁部に、一対のスライドファスナ４８ａ，４８ｂにおける一方のスライドファスナ４８ｂを縫着し、上記上面部３３ａの周縁部に一方のスライドファスナ４８ｂに係合可能な他方のスライドファスナ４８ａを縫着している。
【００６１】
なお、上記一対のスライドファスナ４８ａ，４８ｂは、２つのスライダ４８ｃ，４８ｃを具備し、２つのスライダ４８ｃ，４８ｃのうち、いずれのスライド操作によっても開口部を開閉可能に構成している。
【００６２】
なお、上面部３３ａの上記他方のスライドファスナ４８ａに対してさらに外周縁部沿いには、パイピング４４ａを施している。
【００６３】
続いて、収容体１３の底面部３３ｂの構成について説明する。上記収容体１３の底面部３３ｂは、図８（ａ），（ｂ）に示したように、ペットを支持可能な強度を有する底板５４を不織布３５で被覆して形成している。
【００６４】
なお、上記底板５４は、木質繊維を成形した中質繊維板５４ａ（ＭＤＦ板）に対して板状のウレタンフォーム５４ｂを積載させて一体に形成している。
【００６５】
また、収容体１３の側面部３３ｃの構成について説明する。上記収容体１３の側面部３３ｃの前面側には、上記図１に示したように、ネット状窓部５５が形成されている。上記収容体１３の側面部３３ｃの背面側には、上記図６に示したように、弾性を有するネット状部材によりネット状ポケット５６が形成されている。
【００６６】
最後に上記ジョイント部材２３の構成について詳説する。上記ジョイント部材２３は、合成樹脂製の成形品であり、図９（ａ）に示したように、上記第一主フレーム２１を挿通する挿通孔２３ａと、第二主フレーム２２の上端部を嵌め込み可能に、穴形成方向の一端が閉塞された、すなわち、目くら状に形成された嵌込み穴２３ｂとが並設されている。さらに、上記ジョイント部材２３は、その厚み方向の略中間部で２部材に分割した各部材に対応する一対の構成部材からなる。
【００６７】
上記ジョイント部材２３は、これら一対のジョイント部材２３の構成部材のそれぞれを上記第一主フレーム２１、及び、第二主フレーム２２に対して各側にそれぞれ対向配置させ、さらに、上記第一主フレーム２１を挿通孔２３ａに挿通させるとともに、第二主フレーム２２を嵌込み穴２３ｂに嵌め込んだ状態になるよう螺子留めし、第二主フレーム２２を挿脱可能にている。
【００６８】
本実施例におけるペット用カート１１は、上述したように構成している。  
次に、本実施例におけるペット用カート１１を折り畳む一手順について説明する。
【００６９】
但し、折畳みに際してペット用カート１１は、収容体１３がカート本体１２に取り付いた状態であり、収容体１３からペットを取り出した状態であるとする。
【００７０】
まず、図９（ｂ）に示したように、ジョイント部材２３を第一主フレーム２１の軸方向に沿って、上方へスライドさせることにより、第二主フレーム２２の上端部を嵌込み穴２３ｂから抜き出す。
【００７１】
本実施例におけるペット用カート１１は、このような状態で図１０に示したように折り畳むことができる。
【００７２】
カート本体１２における本体フレーム１４は、第一主フレーム２１、第二主フレーム２２とが互いに略平行に隣接した状態にまで折り畳むことができる。
【００７３】
収容体取付フレーム１５については、水平姿勢から上記本体フレーム１４の折畳み動作に連動して上記本体フレーム１４側へと回動しながら折り畳むことができる。
【００７４】
このとき収容体１３については、カート本体１２に対して取り付けられた状態を維持する。
【００７５】
最後に、収容体１３を厚み方向に収縮させる。収容体１３は、上述したように、厚み方向に収縮自在に形成しているため、しっかりと厚み方向に収縮させることができる。
【００７６】
さらに、前側フレーム取付フラップ３６の裏側に折り返した前側繋止フラップ４１を、前側フレーム取付フラップ３６に対して垂下させておくとともに、後側フレーム取付フラップ３７の裏側に折り返した前側繋止フラップ４１を、後側フレーム取付フラップ３７に対して垂下させる。
【００７７】
この状態で、図１１に示したように、前側繋止フラップ４１の一方の面ファスナ４３ａを底面部３３ｂの前方側部位の他方の面ファスナ４３ｂと互いに重合させる。同様に、後側繋止フラップ４２の一方の面ファスナ４３ａを底面部３３ｂの後方側部位の他方の面ファスナ４３ｂと互いに重合させる。
【００７８】
以上により、折畳み後に収容体１３を厚み方向に完全に収縮させた状態に保持することができる。このため、本実施例におけるペット用カート１１は、例えば、ペット用カート１１を不使用の場合において、図１２に示したように、収容体１３も含めてコンパクトに折り畳むことができる。
【００７９】
さらに、収容体１３は、厚み方向において収縮自在であるため、カート本体１２の折畳み動作が収容体１３によって阻害されることがなく、本実施例におけるペット用カート１１は、収容体１３を取り付けたままでも容易に折り畳むことができる。
【００８０】
必要に応じて適宜、折畳み状態に保つべく、第一主フレーム２１と第二主フレーム２２とが離間しないよう保持する係止手段６０を、図１２に示したように、第一主フレーム２１、第二主フレーム２２との間に繋止することができる。
【００８１】
続いて、本実施例のペット用カート１１使用の際に奏することのできる他の作用、効果について説明する。  
まず、収容体１３は、収容体取付フレーム１５に嵌めこまれた状態で、下面が第一収容体支持フレーム２４、及び、第二収容体支持フレーム２５に載置されている。さらに、前側フレーム取付フラップ３６、及び、後側フレーム取付フラップ３７は、上記図１，図２、及び、図４に示したように、収容体取付フレーム１５を覆った状態で、前側繋止フラップ４１を収容体１３の側面部３３ｃに対してスナップ３８ａ，３８ｂを介して取り付けている。
【００８２】
このように、収容体１３は収容体取付フレーム１５に対して取り付けられているため、ペットが収容体１３の内部で騒いでも、しっかりと取り付いた状態を維持することができる。
【００８３】
本実施例のペット用カート１１を使用する際においては、前後各側で垂下した状態の前側繋止フラップ４１、及び、後側繋止フラップ４２を折り畳んで前側フレーム取付フラップ３６、後側フレーム取付フラップ３７の裏面側にそれぞれ収容しておけば、図１に示したように、前側繋止フラップ４１、及び、後側繋止フラップ４２を隠蔽することができるため、収容体１３の見栄えを良好に保つことができる。
【００８４】
収容体１３のカート本体１２に対して取り外す際は、図１３に示したように、一対のスナップ３８ａ，３８ｂどうしの係合を離間させて、前側繋止フラップ４１、及び、後側繋止フラップ４２を側面部３３ｃから容易に取り外した状態にすることができる。これにより、収容体１３を持ち上げれば収容体取付フレーム１５から容易に取り外すことができる。このため、図示しないが、収容体１３に適宜、肩係合用のベルトなどを具備すれば、ペットを収容体１３に収容した状態で収容体１３ごと持ち運ぶこともできる。
その他にも、必要に応じて上面部３３ａにおける被覆カバー４５を捲り上げれば、通気性カバー４６があらわれた状態とすることができる。これにより、飼主は、通気性を確保することができるとともに、通気性カバー４６を介して収容体１３に収容されたペットの様子を伺いながらペット用カート１１を押すことができるといった効果も有する。
【００８５】
このように本発明に係るペット用カート１１は、上述したような様々な作用、効果を奏することができる。
【００８６】
また、上述の実施形態と、この発明の構成との対応において、この実施形態の前側フレーム取付フラップ３６、及び、後側フレーム取付フラップ３７は、この発明のフレーム取付フラップに対応し、以下同様に、
一対のスナップ３８ａ，３８ｂは、一対の固定手段に対応し、
前側繋止フラップ４１、及び、一対の面ファスナ４３ａ，４３ｂ、又は、後側繋止フラップ４２、及び、一対の面ファスナ４３ａ，４３ｂは、この発明の保形手段、或いは、繋止手段に対応するも、
この発明は、上述の実施形態の構成のみに限定されるものではなく、上述したように多くの実施の形態を得ることができる。
【図面の簡単な説明】
【００８７】
【図１】本実施例におけるペット用カートの外観図。
【図２】本実施例におけるペット用カートの側面図。
【図３】本実施例におけるカート本体の説明図。
【図４】本実施例におけるペット用カートを模式的に示した中央縦断面図。
【図５】本実施例におけるペット用カートの要部説明図。
【図６】本実施例における収容体、及び、その近傍を後方側から視た説明図。
【図７】本実施例における収容体の上面部の説明図。
【図８】本実施例における収容体の底面部の説明図。
【図９】本実施例におけるジョイント部材の説明図。
【図１０】本実施例におけるペット用カートの作用を説明する作用説明図。
【図１１】本実施例におけるペット用カートの作用を説明する作用説明図。
【図１２】本実施例におけるペット用カートを折り畳んだときの外観図。
【図１３】本実施例におけるペット用カートの作用を説明する作用説明図。
【符号の説明】
【００８８】
１１…ペット用カート
１２…カート本体
１３…収容体
１４…本体フレーム
１５…収容体取付フレーム
３６…前側フレーム取付フラップ
３７…後側フレーム取付フラップ
３８ａ，３８ｂ…一対のスナップ
４１…前側繋止フラップ
４２…後側繋止フラップ
４３ａ，４３ｂ…一対の面ファスナ
４５…被覆カバー
４６…通気性カバー
５４…底板
【図１】
2007185180.tif 000003
【図２】
2007185180.tif 000004
【図３】
2007185180.tif 000005
【図４】
2007185180.tif 000006
【図５】
2007185180.tif 000007
【図６】
2007185180.tif 000008
【図７】
2007185180.tif 000009
【図８】
2007185180.tif 000010
【図９】
2007185180.tif 000011
【図１０】
2007185180.tif 000012
【図１１】
2007185180.tif 000013
【図１２】
2007185180.tif 000014
【図１３】
2007185180.tif 000015